(57)【特許請求の範囲】
【請求項１】
光ケーブルをループ状に巻装して収容可能な光ケーブル収容部を正面開放部を覆うように着脱可能に取り付けるとともに、前記光ケーブル収容部の下方の筺体内に機器ユニットを備えた光ケーブル機器筐体において、
前記光ケーブル収容部を幅方向で複数に分割し、分割された各収容部を相隣接し対向する側方の枠状壁を突き合わせて一連に組み合わせた状態で前記筺体の正面開放部に対しそれぞれ独立して着脱可能にするとともに、
分割された前記各収容部を互いに連結可能、または互いに連結および連結解除可能に構成したこと
を特徴とする光ケーブル機器筐体の光ケーブル収容部。
【請求項２】
前記分割された各収容部（３，３）がほぼ二等分された光ケーブル収容部からなり、それぞれ周囲に枠状壁（３０〜３３）を備え、
前記分割された各収容部（３）の両側の側方の枠状壁（３１，３２）に長手方向に間隔をあけ、上端を開放し上下方向に連通する切欠き溝（２４〜２６）を少なくとも２本の板状片（２２，２３）が形成されるように所定間隔をあけて前部と後部とにそれぞれ設けるとともに、対向する前記側方の枠状壁（３１，３２）の連結状態で相互に突き合わせられる少なくとも１本の前記板状片（２３，２３）を挟んで相反する側の各板状片（２２）の上端に嵌合爪（２２ａ）をそれぞれ内向きに突設し、
前記各嵌合爪に嵌合可能な嵌合縁を上端に有する連結部材（２８）を備えたこと
を特徴とする請求項１に記載の光ケーブル機器筐体の光ケーブル収容部。
【請求項３】
前記各側方の枠状壁の一部に、上端を開放して上下方向に連通する切欠き溝（２４〜２６）を少なくとも２本の幅の異なる板状片（２２，２３）が形成されるように所定間隔をあけて設け、対向し突き合わせられる少なくとも１本の広幅の前記板状片（２３，２３）を挟んで相反する側の各細幅の板状片（２２）の上端にそれぞれ嵌合爪（２２ａ）を内向きに突設するとともに、対向する少なくとも１本の前記広幅の板状片（２３）同士が突き合わせられ、細幅の前記板状片（２２）が対向する他方の前記分割された収容部（３）の切欠き溝（２４又は２６）に背を向けて位置するようにし、
対向する前記側方の枠状壁（３１，３２）の突き合わせ状態で両側方の枠状壁（３１，３２）の前記板状片（２２，２３）の全てを取り囲み可能で、両側方の枠状壁（３１，３２）の前記嵌合爪（２２ａ）に同時に嵌合可能な嵌合縁を上端に備えた連結部材（２８）を、前記分割された各収容部（３）に形成した中央開口部（３ａ）内に切り離し可能に連設したこと
を特徴とする請求項１に記載の光ケーブル機器筐体の光ケーブル収容部。
【請求項４】
前記分割された各光ケーブル収容部（３，３）を前記筐体の正面開放部に取り付けた状態で、一方の前記光ケーブル収容部（３）の外側方の枠状壁（３１又は３２）との間に所定の隙間が形成されるように、前記筐体の正面開放部の内周面に沿って内周壁（１ｄ）を設け、
前記連結部材を前記外側方の枠状壁（３１又は３２）の２本の板状片（２２，２３）を取り囲んで１つの前記嵌合爪に嵌合させて保持できるようにしたこと
を特徴とする請求項２に記載の光ケーブル機器筐体の光ケーブル収容部。
【発明の詳細な説明】
【技術分野】
【０００１】
この発明は、光ファイバーケーブル（以下、光ケーブルという）によって映像信号などの受信や送信などを行う光ケーブル機器の筐体に関するもので、特に、光ケーブルを送受信機器やＯ／Ｅ変換器などに機器ユニットと接続する際に余長部分や終端部分をループ状に巻装して収容する光ケーブル収容部（光ケーブルトレイ、あるいは単にトレイともいう）に関する。
【背景技術】
【０００２】
この種の光ケーブル機器筐体では、光ケーブル収容部をその正面開放部を覆うように着脱可能に備え、光ケーブル収容部の下方の筐体内に光信号を電気信号に変換する機器ユニットや光信号の出力を増幅する機器ユニットなどを光ケーブル収容部下方の筐体内に装入している。
【０００３】
ところで、従来の一般的な光ケーブル収容部は、光ケーブル機器筐体の正面開放部を覆うように取り付けられる樹脂製の枠状周壁を備えたトレイからなり、トレイの基板上には光ケーブルの余長部分を内部の光ファイバーが損傷しない程度の安全な曲率でループ状に巻装可能な、円弧状や直線状のガイド壁が長円形状や円形状に間隔をあけて幾重にも立設されている（例えば、特許文献１および特許文献２参照）。
【特許文献１】特開２００６-３０１３２７号公報（図２）
【特許文献２】特開２００７-０５７８０６号公報（段落０００２および図１）
【発明の開示】
【発明が解決しようとする課題】
【０００４】
しかしながら、上記のような従来の一般的な光ケーブル収容部では、次のような場合に対応できない。すなわち、
例えば、光ケーブルで送信されてくる放送用光信号を電気信号（ＲＦ信号）に変換して増幅した後、同軸ケーブルで送り出す機器ユニットと、送信されてくる光信号の出力を増幅して遠隔地に送信する機器ユニットのように、種類の異なる機器ユニットを共通の筐体内に備える場合に、あるいは中継する光ケーブルを２本あるいは３本以上に分離し、分離した各光ケーブルをそれぞれ別個の光ケーブル収容部のガイド部に沿って巻装して取り扱う場合に、従来の光ケーブル収容部は一体構造からなるので、例えば、筐体内に１台の機器ユニット（光信号から電気信号へ変換用）を装入してあって、もう１台の機器ユニットを装入可能な空きスペースがある場合に、もう１台の機器ユニット(例えば、光信号の出力増幅用）を筐体内に追加しようとすれば、すでに筐体内に装入されている機器ユニットの光入力部と光ケーブルの端部に設けられた光コネクタとの接続を解消し、光ケーブル収容部を取り外すことになる。そして、もう１台の機器ユニットを筐体内に装入したのちに、光ケーブル収容部の光ケーブルを巻き戻して、２台の機器ユニットに光ケーブルを接続できるようにそれらの余長部分再び巻き付けなおした状態で、光ケーブル収容部を筐体の正面開放部に取り付ける必要がある。
【０００５】
したがって、新たな機器ユニットを追加するたびに光ケーブル収容部に巻装された光ケーブルを巻き戻し、再び光ケーブルを巻装しなければならず、その手間が大変なうえに、光ケーブルの巻き戻しや巻装時に光ケーブルを損傷するおそれがある。
【０００６】
本発明は上述の点に鑑みなされたもので、例えば、筐体内の空きスペースに新たに機器ユニットを装入して必要な光ケーブルを接続する場合に、新たに導入する光ケーブル、あるいは既に導入済みの光ケーブルから分岐した光ケーブルを、装入した機器ユニット上に取り付けられる光ケーブル収容部を隣接する取り付け済の光ケーブル収容部と一体に連結し、取り付けられる光ケーブル収容部に巻装できるようにして、最小限の労力で機器ユニットの増設やメンテナンスが図れる光ケーブル機器筐体の光ケーブル収容部を提供しようとするものである。
【課題を解決するための手段】
【０００７】
上記の課題を解決するために本発明に係る光ケーブル機器筐体の光ケーブル収容部は、光ケーブルをループ状に巻装して収容可能な光ケーブル収容部を正面開放部を覆うように着脱可能に取り付けるとともに、前記光ケーブル収容部の下方の筺体内に機器ユニットを備えた光ケーブル機器筐体において、前記光ケーブル収容部を幅方向で複数（２つ以上、例えば３つ）に分割し、分割された各収容部を相隣接し対向する側方の枠状壁を突き合わせて一連に組み合わせた状態で前記筺体の正面開放部に対しそれぞれ独立して着脱可能にするとともに、分割された前記各収容部を互いに連結可能、または互いに連結および連結解除可能に構成したことを特徴とする。
【０００８】
請求項２に記載のように、前記分割された各収容部（３，３）がほぼ二等分された光ケーブル収容部からなり、それぞれ周囲に枠状壁（３０〜３３）を備え、前記分割された各収容部（３）の両側の側方の枠状壁（３１，３２）に長手方向に間隔をあけ、上端を開放し上下方向に連通する切欠き溝（２４〜２６）を少なくとも２本の板状片（２２，２３）が形成されるように所定間隔をあけて前部と後部とにそれぞれ設けるとともに、対向する前記側方の枠状壁（３１，３２）の連結状態で相互に突き合わせられる少なくとも１本の前記板状片（２３，２３）を挟んで相反する側の各板状片（２２）の上端に嵌合爪（２２ａ）をそれぞれ内向きに突設し、前記各嵌合爪に嵌合可能な嵌合縁を上端に有する連結部材（例えば、角筒体状の連結部材２８）を備えることが好ましい。
【０００９】
請求項３に記載のように、前記各側方の枠状壁の一部に、上端を開放して上下方向に連通する切欠き溝（２４〜２６）を少なくとも２本の幅の異なる板状片（２２，２３）が形成されるように所定間隔をあけて設け、対向し突き合わせられる少なくとも１本の広幅の前記板状片（２３，２３）を挟んで相反する側の各細幅の板状片（２２）の上端にそれぞれ嵌合爪（２２ａ）を内向きに突設するとともに、対向する少なくとも１本の前記広幅の板状片（２３）同士が突き合わせられ、細幅の前記板状片（２２）が対向する他方の前記分割された収容部（３）の切欠き溝（２４又は２６）に背を向けて位置するようにし、対向する前記側方の枠状壁（３１，３２）の突き合わせ状態で両側方の枠状壁（３１，３２）の前記板状片（２２，２３）の全てを取り囲み可能で、両側方の枠状壁（３１，３２）の前記嵌合爪（２２ａ）に同時に嵌合可能な嵌合縁を上端に備えた連結部材（例えば、四角筒形の連結部材２８）を、前記分割された各収容部（３）に形成した中央開口部（３ａ）内に切り離し可能（例えば、手や工具で）に連設することができる。
【００１０】
請求項４に記載のように、前記分割された各光ケーブル収容部（３，３）を前記筐体の正面開放部に取り付けた状態で、一方の前記光ケーブル収容部（３）の外側方の枠状壁（３１又は３２）との間に所定の隙間が形成されるように、前記筐体の正面開放部の内周面に沿って内周壁（１ｄ）を設け、前記連結部材を前記外側方の枠状壁（３１又は３２）の２本の板状片（２２，２３）を取り囲んで１つの前記嵌合爪に嵌合させて保持できるようにしてもよい。
【発明の効果】
【００１１】
本発明に係る光ケーブル機器筐体の光ケーブル収容部は、上記の構成からなるから、次のような優れた効果がある。
【００１２】
・請求項１の発明によれば、光ケーブル収容部を幅方向で複数に分割し、各分割収容部を相隣接する側方の枠状壁を突き合わせて一連に組み合わせた状態で前記筺体の正面開放部に対しそれぞれ独立して着脱可能にするとともに、各分割収容部を、前記筺体の正面開放部に取り付けた状態あるいは取り付ける前の状態で連結可能にしたから、例えば１つの機器ユニット（例えば、Ｏ／Ｅ変換用）が筐体内に装入され、機器ユニットの上方に分割収容部が取り付けられている場合に、いいかえれば筐体内に空きスペースがあって、その空きスペースに別の機器ユニット(例えば光信号増幅用）を装入するとともに、その別の機器ユニットの上方にも分割収容部を取り付け、既に筐体内に取り付けられている分割収容部と連結して一体にし、新たに導入する光ケーブルあるいは先の光ケーブルから分岐した光ケーブルを新たな分割収容部に巻き付けて別の機器ユニットに接続することができる。特に先の光ケーブルから分岐した光ケーブルを新たに取り付けた光ケーブルの分割収容部に巻き付ける場合には、光ケーブルが複数（２つ以上）の分割収容部に跨って巻き付けられることになるから、仮に複数の分割収容部が一体に連結されていないと、光ケーブルが分割収容部間の隣接箇所で折れ曲がったりして損傷するおそれがあるが、本発明によればそのようなおそれが一切ない。しかも、別の分割収容部を追加するだけであるから、従来のように光ケーブル収容部上の光ケーブルを巻き戻したのちに光ケーブル収容部を筐体から取り外し、別の機器ユニットを装入してその上に光ケーブル収容部を取り付け、再び光ケーブルを巻き付ける必要がないから、光ケーブルの巻き付け作業等が簡略化され、光ケーブルを損傷するおそれも減少する。
【００１３】
また、いったん連結した光ケーブル収容部の連結状態を解除可能にすることにより、例えば筐体内に複数の機器ユニットが装入されている場合で、複数の機器ユニットの真上の、対応する各分割収容部ごとに光ケーブルが巻装されている場合に、それらのうちの１つの機器ユニットをメンテナンスする際は、メンテナンスする機器ユニットの真上の光ケーブル分割収容部に巻装された光ケーブルを機器ユニットのコネクタ（光中継用アダプタ）から引き抜き、メンテナンスする機器ユニットに対応する光ケーブル分割収容部を隣接する光ケーブル分割収容部との連結状態を連結部材を引き抜いて解除し、その光ケーブル収容部だけを取り外し、真下の機器ユニットを取り出すことができる。そして、メンテナンスの終了後に機器ユニットを筐体内に装入した状態で、取り外した光ケーブルの分割収容部を取り付け、光ケーブルをメンテナンス済みの機器ユニットに接続したのち、隣接する光ケーブル分割収容部と連結すればよい。さらに、複数の光ケーブル分割収容部に跨って光ケーブルが巻装されている場合には、筐体内の複数の全ての機器ユニットと対応する光ケーブルをそれぞれコネクタ（光中継用アダプタ）から引き抜き、筐体の正面開放部を覆う光ケーブル収容部の全て（一体化された複数の光ケーブル収容部）を連結された状態のまま取り外し、筐体内のメンテナンスしようとする機器ユニットだけを取り出す。そして、メンテナンスが終了した後にその機器ユニットを筐体内に装入し、連結状態の複数の分割収容部を筐体の正面開放部に取り付け、各機器ユニットに対応する光ケーブルを接続すればよい。
【００１４】
・請求項２の発明によれば、例えば、左右両側の光ケーブル収容部のうち、一方の光ケーブル収容部に対応する機器ユニットだけが筐体内に装入されており、光ケーブル収容部にもその機器ユニットに対応する側にだけ光ケーブルが巻装されている場合に、別の機器ユニットを他方の光ケーブル収容部の下方の筐体内に装入し、巻装されている光ケーブルから分岐された別の光ケーブルをその別の機器ユニットに接続する際には、分岐された別の光ケーブルの余長部分を他方の光ケーブル収容部に巻き付け、別の機器ユニットに別の光ケーブルをコネクタにて接続する。そして、左右の光ケーブル収容部同士を連結部材を介して一体に連結するが、このとき光ケーブル収容部間の嵌合部に連結部材を嵌め込んで嵌合爪を上端の嵌合縁に嵌合させて一体に連結し、余長の光ケーブルを巻き付けることにより一連の作業が終了する。特に、新たに巻き付けようとする光ケーブルが左右の光ケーブル収容部間に跨るときには、光ケーブルを巻き付ける前に光ケーブル収容部同士をあらかじめ連結しておけば、光ケーブルが収容部間で折れ曲がったりせず、損傷するおそれがほとんどない。また、長期間使用している間に、仮に連結部材を嵌め込んで連結する嵌合爪が損傷した場合には、光ケーブルを巻き戻した状態で左右の光ケーブル収容部を取り外して入れ替えることにより、連結部材を嵌め込んで嵌合する嵌合爪を備えた板状片が入れ替わって新しくなるので、新しくなった嵌合爪に連結部材を嵌合させて連結することができる。
【００１５】
・請求項３の発明によれば、連結部材を光ケーブル収容部の中央開口部内の空間部に一体に連設し、手やカッターなどの工具で簡単に切り離せるようにしてあるから、連結部材をなくすことがない。また、光ケーブル収容部の側方枠状壁を突き合わせた状態で、嵌合爪を上端に備えた板状片は他方の切欠き溝に位置するから、連結部材の嵌合部を嵌合爪に嵌合させるときに、板状片が嵌合爪の突設方向と逆向きに湾曲し、無理なく嵌合爪が連結部材の嵌合縁に嵌合する。
【００１６】
・請求項４の発明によれば、一方の、または最外側方寄りの光ケーブル収容部の外側枠状壁にも上端に嵌合爪を備えた板状片が設けられているとともに、その外側に所定の間隔を空けて筐体の内周壁が設けられているから、例えば、分割収容部の中央開口部に張り出して連設されている連結部材を千切り取った状態で、あるいは連結部材を取り外して光ケーブル収容部同士の連結を解除した状態で、その連結部材を外側枠状壁の嵌合爪に嵌合させて保持することができる。したがって、筐体内には１つの機器ユニットが装入され、分割収容部も１つだけ取り付けられている状態で別の分割収容部を取り付けて連結する前や、分割収容部の連結を解除した状態で機器ユニットなどのメンテナンス作業中などに、取り外した連結部材を定位置に保持でき、なくすことがない。
【発明を実施するための最良の形態】
【００１７】
以下、本発明の光ケーブル機器筐体の光ケーブル収容部について実施の形態を挙げて図面に基づき説明する。
【００１８】
図１（ａ）は本発明の実施例に係る光ケーブル収容部を備えた光ケーブル機器筐体を示す外観の斜視図で、蓋を開放した状態を表し、図１（ｂ）は図１（ａ）に示す２個の光ケーブル収容部を突き合わせて連結しようとする状態を拡大して示す斜視図である。図２は図１（ａ）の筐体の正面開放部に取り付けられた２個の光ケーブル収容部を示す平面図で、非連結状態を表す。図３は左右一対の光ケーブル収容部を取り外した状態の光ケーブル機器筐体を示す斜視図、図４は筐体から取り外して連結を解除した状態の光ケーブル収容部を示す斜視図である。図５（ａ）は図１（ａ）において本発明の要部を円で囲んで示し、図５（ｂ）はその拡大図を示す斜視図である。
【００１９】
図１（ａ）に示すように、光ケーブル機器筐体１は本実施例では光受信機の筐体からなり、筐体１は樹脂製で正面（上面）１ａが開放され、この正面開放部１ａ側に開閉自在な樹脂製の蓋２が備えられている。この筐体１は、蓋２の両側ヒンジ２cを上側に向けてビルやマンションなどの光ケーブル（図示せず）の引き込み口や光信号変換後のＴＶ出力信号用ケーブルの引き込み口近くの建物壁面に取付片１ｆを用いて固定用ねじで取り付けられる。
【００２０】
図１に示すように、筐体１の正面開放部１ａには、浅くて上端が開放されたトレイ状で樹脂製の光ケーブル収容部３の左右一対がそれぞれ着脱可能に嵌め込まれている。一方、右側の光ケーブル収容部３下方の筐体１内には、本例の場合、図示を省略するが、光信号を電気信号に変換するＯ／Ｅ変換器、変換された電気信号を増幅する増幅器が１台の機器ユニット１０として、左側の光ケーブル収容部３下方の筐体１内には、光信号を増幅する増幅器がもう１台の機器ユニット１１としてそれぞれ収容されている。筐体１の前面１ｂ（壁面への取付状態で下面に位置する側）には、ＴＶ電気信号の出力端子１０ａ用孔部１３と、出力端子１０ａから出力されるＴＶ電気信号をモニターするためのモニター端子１０ｂ用孔部１４とが間隔をあけて穿設されている。また、蓋２の両側枠２ｂの前端部に係止片４がそれぞれ直角方向に突設され、これらの係止片４に対応して係止される係止縁部４ａが筐体１の両側面１ｃの上端部に前後方向に連続して一体に形成されている。また、蓋２の開放端前面２ａの両側部に留め具５がそれぞれ直角方向に突設され、筐体１の前面１ｂに留め具５のねじ孔部５ａがそれぞれ一体に形成されている。
【００２１】
図４に示すように、左右の各光ケーブル収容部３は全周にわたり枠状壁３０〜３３が立設されている。各光ケーブル収容部３は、光ケーブルの出入り口３４（前面の中央部および両側部）の位置に対応する前方枠状壁３０の一部（４箇所）がそれぞれ切り欠かれて開口されている。これらの切り欠き開口３０ａに一致するように、筐体１の前面１ｂにも開口１ｅが設けられている。また、蓋２の前面２ａにも、開口１ｅに対応する位置に開口２ｄが設けられている。なお、図１中の符号１ｆは筐体１の壁面取付片で、止めねじ用貫通孔を備えているが、この取付片１ｆは前面下端縁の中央および両側部のほか、上端縁の中央部（図示せず）に設けられている。
【００２２】
本例では、各出入り口３４に光ケーブルを挟持可能な弾性体ホルダー７（図１）の装着部３４ａを備えているが、この装着部３４ａは両側方の枠状壁３１・３２とこれらに対向しかつ平行に立設された内側の枠壁３４ｂとで構成されている。また、弾性体ホルダー７は全体がゴムやエラストマーなどの弾力性を具備した材料で成形されており、光ケーブル挿入溝（図示せず）が等間隔で平行に貫通して形成され、各挿入溝の上面の中心位置に切り込みが長手方向に入れられている。
【００２３】
各出入り口３４の弾性ホルダー装着部３４ａには、弾性体ホルダー７の切欠き部に対応する２本のリブ８と弾性体ホルダー７の両側の縦溝に対応するリブ９とが所定の間隔をあけて立設されている。各リブ８・９の相対向する面（挟持面）は、基端から先端側の切欠き開口３０ａに向けて漸次間隔が狭くなるテーパー面に形成されている。また、光ケーブル収容部３の出入り口３４と反対側の背面寄り隅角部には、光ケーブル内に光ファイバーと平行に入れたサポートメンバーを巻き付けて固定するための固定用ねじ孔部１２が設けられている。
【００２４】
各光ケーブル収容部３の中央部分に長円形状の開口部３ａが設けられており、開口部３ａの周囲で４隅の円弧状周縁部に直線状部と円弧状部との組み合わせからなるガイド壁３５が基板３ｂ上に立設され、前部左側円弧部と後部右側円弧部には半径方向に間隔をあけて二重に、後部左側円弧部には半径方向に間隔をあけて三重にそれぞれガイド壁３５が基板３ｂ上に立設されている。これらのガイド壁３５で構成されるガイド溝部（またはガイド部）３９に沿って光ケーブルが出入口３４から内部に引き込まれ、あるいは内部から送り出される光ケーブルの余長部分をガイド溝部３９に沿ってループ状に巻装することができる。
【００２５】
図４に示すように、各光ケーブル収容部３は上記したとおり本例では同一の形状で、上方より見て長方形状で周囲に枠状壁３０〜３３を備えたトレイ状枠体からなっている。各光ケーブル収容部３の両側方の枠状壁３１・３２には、弾性体ホルダー装着部３４ａのすぐ後方と、サポートメンバー固定用ねじ孔部１２のすぐ前方とに、左右の光ケーブル収容部３・３を連結するための連結用嵌合部２１をそれぞれ設けている。各嵌合部２１は、図１（ｂ）に拡大して示すように、細い幅の板状片２２とやや広い幅の板状片２３とを上下方向に連通する切欠き溝２４〜２６を挟んで設け、細幅の板状片２２の上端に嵌合爪２２ａを内向けに突設しており、左右の光ケーブル収容部３・３の対向する側方枠状壁３１・３２を突き合わせた状態で、広幅の板状片２３同士が背中合わせに突き合わされ、広幅の板状片２３を挟んで嵌合爪２２ａを備えた細幅の板状片２２が相反する側に位置する構成からなる。細幅板状片２２の相対向する各側方枠状壁３１・３２には、切欠き溝２４または２６が位置し、後述する連結部材２８を嵌め込むときに細幅板状片２２が外側へ撓りやすくしてある。これにより、板状片２２上端の嵌合爪２２ａは連結部材２８の上端の嵌合縁２８ａにスムーズに嵌合する。
【００２６】
なお、左側の光ケーブル収容部３では、図１（ｂ）・図５（ｂ）のように後端の切欠き溝２６が凹状の開口部と一つになって大きく開口しており、また右側の光ケーブル収容部３では、前端と後端の各切欠き溝２４・２６が凹状あるいは縦長の開口部と一つになって大きく開口している。
【００２７】
図１（ｂ）・図５（ｂ）に示すように、連結部材２８は本例では四角筒体で、左右の光ケーブル収容部３・３の対向する側方枠状壁３１・３２を突き合わせた状態で、背中合わせの広幅板状片２３・２３と両側の各板状片２２・２２を取り囲み可能な四角形筒体からなる。連結部材２８の上端開口縁部は長方形枠状で、幅方向の中間位置に対向する突出片２８ｂが突設され、その両側が嵌合爪２２ａとの嵌合縁２８ａに形成されている。また、連結部材２８の下端開口縁も長方形枠状で、両側の下端縁２８ｃがそれぞれ下方へ突出している。この連結部材２８は通常、図４に示すように左右の光ケーブル収容部３の開口部３ａ内に、手あるいはカッターなどの工具で切り離し可能に連設されている。そして、左右の光ケーブル収容部３・３の内側方枠状壁３１・３２を突き合わせた状態で、各嵌合部２１に真上から嵌め込むことにより前後の細幅板状片２２が外方に湾曲し、板状片２２・２３が連結部材２８内に挿入された後、外方へ湾曲した前後の細幅板状片２２がそれぞれ元の状態に復元し、上端の各嵌合爪２２ａが連結部材２８の嵌合縁２８ａにそれぞれ嵌合する。
【００２８】
図１（ａ）・図２・図５（ａ）に示すように、筐体１の正面開放部１ａの内周面に沿って内周壁１ｄ（前面１ｂ・両側面１ｃを含む）が、上端部を上方へやや突出して一体に設けられている。左右の光ケーブル収容部３・３は、内側方枠状壁３１・３２を突き合わせた状態で内周壁１ｄの前面１ｂや左側面１ｃなどに当接させて正面開放部１ａを覆うように取り付けられている。この状態で、図２のように右側の光ケーブル収容部３の外側方枠状壁３２と内周壁１ｄの右側面１ｃとの間に、所定の間隙が前後方向にわたって生じる。このため、右側の光ケーブル収容部３の外側方枠状壁３２における前後の嵌合部２１’・２１’に、連結部材２８を嵌めて保持することができる。
【００２９】
さらに、各光ケーブル収容部３・３は、以下のような構造を備えている。すなわち、図１・図２に示すように、本例では、外周側から内周側にかけて順に複数のガイド壁３５間のガイド溝部３９に沿って光ケーブルを半径方向に一定間隔をあけてループ状に巻き付けることにより、余長部分を曲率の大きなループ状に巻装し収容することができる。なお、ガイド壁３５の上端には、長手方向に間隔をあけて光ケーブルの抜け止め片３５ａが一体に形成されている。
【００３０】
また、開口部３ａ周囲の両側の直線状縁部には、前後の円弧状コーナのガイド壁３５・３５間を断続的に接続する一直線状ガイド壁３６を基板３ｂ上に立設している。また、左右の連続する一直線状ガイド壁３６の外側には、前後一対の一直線状ガイド壁３８・３８が前後方向に間隔をあけて基板３ｂ上に立設されている。さらに、図の左側の一直線状ガイド壁３６の内側と外側に上方より見て略くの字状のバネ片４１が相対向する前後のガイド壁３７またはガイド壁３８へ向けて漸次間隔（ガイド溝部３４の溝幅）が狭まるように一体に延設され、右側の一直線状ガイド壁３５の外側にも上方より見て略くの字状のバネ片４１が相対向する前後のガイド壁３７・３７へ向け漸次間隔（ガイド溝部３４の溝幅）が狭まるように一体に延設されている。
【００３１】
一直線状ガイド壁３６の略くの字状バネ片４１の先端部と各ガイド壁３７との間は、光ケーブルで送信される波長の異なる複数の光信号のうち、不要な波長の光信号を除去するフィルタを挟持して保持するように構成されている。
【００３２】
また、図１・図２に示すように、長円形状開口部３ａの右側の直線状部では、長方形状の部分基板３ｄが基板３ｂより開口部３ａ内へ張り出して連設され、この部分基板３ｄ上に左右一対の板状ガイド壁４３・４４が幅方向に間隔をあけて立設されている。これにより、ガイド壁４３とガイド壁４４との間およびガイド壁４４と一直線状ガイド壁３６との間が、それぞれ光中継用アダプタ５０（図１）を両側から挟持して支持可能な支持部４５・４６に構成されている。光中継用アダプタ５０を介して入力される光信号は、例えば機器ユニット１０内のＯ／Ｅ変換器で電気信号に変換され、変換された電気信号が増幅されて出力端子１０ａおよびモニター端子１０ｂから出力される。
【００３３】
ところで、図１の右側の光ケーブル収容部３とその下方の筐体１内の機器ユニット１０について例示したが、左側の光ケーブル収容部３の下方の筐体１内に収容される機器ユニット１１は、本例の場合、光ケーブルで送信される光信号を増幅する増幅器を内蔵しており、光ケーブルにより光中継用アダプタ５０を介して入力される光信号を左側の機器ユニット１１内の増幅器で増幅し、左側の光ケーブル収容部３の光ケーブル出入口３４から取り出される光ケーブルにより再び遠方へ送信することができる。
【００３４】
以上のようにして本発明の実施例にかかる光受信機の筐体１が構成されるが、続いて左右の光ケーブル収容部３・３の使用態様について説明する。
【００３５】
図示は省略するが、光ケーブルにはサポートメンバー入り光ケーブルを使用するもので、通常、筐体１を建物の壁面に取り付けた状態で、光ケーブル収容部３を取り外して光ケーブルの処理が行われる。弾性体ホルダー７は収容部３の出入り口３４に装着された状態で、光ケーブルを切り込みから挿入溝内に挿入する。このとき、各挿入溝はリブ８・９間で挟持されていない位置にある。そして、各挿入溝に光ケーブルがそれぞれ挿入された状態で、弾性体ホルダー７を図で下向きにスライドさせることにより、対向するリブ８・９間の下向きに間隔が狭まった挟持面にてホルダー７の挿入溝（上端開放溝）が挟持され、挿入溝内の光ケーブルがホルダー７ごと締め付けられて固定される。
【００３６】
光ケーブルについて図示は省略するが、本例の光受信機の機器筐体１は種類の異なる２台の機器ユニット１０・１１を備えることができる。したがって、中継する光ケーブルを２本あるいは３本以上に分離し、分離した各光ケーブルをそれぞれ左右の光ケーブル収容部３・３のガイド溝部３９に沿って巻装して取り扱うことができる。例えば、最初は１台の機器ユニット１０を用いて光信号を電気信号に変換して出力端子１０ａから同軸ケーブルにてユーザーに送信するだけの目的で使用している場合に、同じ機器筐体１の空きスペースを利用して、例えば、光信号の出力を増幅して、さらに遠方へ送信することが要求される場合がある。このような場合、右側の光ケーブル収容部３に光ケーブルを巻装した状態で、光信号増幅用の機器ユニット１１を左側の空きスペースに装入して固定し、機器ユニット１１上に別(左側）の光ケーブル収容部３を、右側の光ケーブル収容部３の内側枠状壁３１に内側枠状壁３２を突き合わせるようにして筐体１の正面開放部１ａに取り付ける。そして、光ケーブル収容部３の中央開口部３ａ内に連設された状態から手やカッターで切り離したり、あるいは嵌合部２１’に保持したりしていた連結部材２８を、嵌合部２１・２１に嵌め込んで、左右の光ケーブル収容部３・３を一体に連結する。この状態で、右側の光ケーブル収容部３の出入口３４から引き込んだ光ケーブルや機器ユニット１０に接続される光ケーブルから分岐した光ケーブルの余長部分を、左側の光ケーブル収容部３に巻き付け、機器ユニット１１に接続することができる。本例の場合、光ケーブルは左右の光ケーブル収容部３・３に跨って巻装されることになるが、両収容部３・３は一体に結合されているので、光ケーブルが折れ曲がったりして損傷することがない。
【００３７】
一方、上記のように光ケーブルが左右の光ケーブル収容部３・３に跨って巻き付けられている場合に、機器筐体１内の２台の機器ユニット１０・１１または一方の機器ユニットのメンテナンスを行うには、各機器ユニット１０・１１と光ケーブルの接続をコネクタから引き抜いて解消したのち、左右の連結された光ケーブル収容部３・３を取り外し、機器ユニット１０・１１または一方の機器ユニットを取り出してメンテナンスを行えばよい。また、左右の光ケーブル収容部３・３に光ケーブルをそれぞれ別々に巻き付けることもでき、この状態で両側の光ケーブル収容部３・３を連結部材２８を介して連結することがある。この場合に、例えば、右側の光ケーブル収容部３の下方の機器ユニット１０をメンテナンスしなければならないとすれば、右側の光ケーブル収容部３に巻装されている光ケーブルと機器ユニット１０との接続を解消した後、右側の光ケーブル収容部３だけを筐体１の正面開放部１ａから取り外してメンテナンスすることができる。
【００３８】
具体的には、図２に示すように筐体１の正面開放部１ａに取り付けられた左右の光ケーブル収容部３・３の内側方枠状壁３１・３２の前後の連結用嵌合部２１・２１から、連結部材２８をそれぞれ引き抜いて取り外し、連結状態を解消する。連結部材２８の引き抜きは、前後の細幅板状片２２の上端の嵌合爪２２ａを板状片２２を外方へ湾曲させて嵌合縁２８ａとの嵌合状態を解消すれば、簡単に行える。こうして、嵌合部２１・２１から連結部材２８をそれぞれ引き抜いて取り外し、右側の光ケーブル収容部３の外側方枠状壁３２の嵌合部２１’に嵌めて保持する。
【００３９】
この状態で、左右の光ケーブル収容部３・３は筐体１の正面開放部１ａから独立して個々に取り外し可能になるから、例えば右側の光ケーブル収容部３だけを取り外し、下方の機器ユニット１０を取り出してメンテナンスを行うことができる。そしてメンテナンス終了後は、機器ユニット１０を筐体１内に挿入し、右側の光ケーブル収容部３を取り付け、さらに嵌合部２１’から連結部材２８をそれぞれ引き抜いて取り外し、左右の内側方枠状壁３１・３２を突き合わせて形成される嵌合部２１・２１に連結部材２８をそれぞれ嵌め込んで、左右の光ケーブル収容部３・３を連結する。ここで、光ケーブルの余長部分を右側の光ケーブル収容部３のガイド溝部３９に沿ってループ状に巻装するなどの処理を施せばよい。つまり、従来と違って、一方の光ケーブル収容部３だけを取り外すことができるので、最小限の手間で済み、光ケーブル収容部全体を取り外す場合に比べて、光ケーブルを損傷するおそれも大幅に減少する。
【００４０】
以上に本発明の光ケーブル収容部の実施例について説明したが、本発明の光ケーブル機器筐体は次のように実施することができる。
【００４１】
・上記実施例では、筐体１の正面開放部１ａに取り付ける光ケーブル収容部を左右一対にしたが、例えば３等分あるいは４等分して３〜４個の光ケーブル収容部に分割しても同様に実施できる。いいかえれば、光ケーブル収容部３下方の筐体１内に収容される機器ユニットの数に応じて増やすことができ、また１台の機器ユニットに対し２個の光ケーブル収容部を備えることもできる。
【００４２】
・連結部材２８を嵌合する連結用嵌合部２１を突き合わせる内側方枠状壁３１・３２の前部・中間部・後部の３箇所に設けることもでき、また連結部材２８を光ケーブルや機器ユニットのメンテナンス作業中に一時的に保持する嵌合部２１’を省くこともできる。
【００４３】
・上記実施例では、左右の光ケーブル収容部３の構造および形状を共通にしたが、それらの構造や形状を左右で異なるように変えることができる。
【図面の簡単な説明】
【００４４】
【図１】図１（ａ）は本発明の実施例に係る光ケーブル収容部を備えた光ケーブル機器筐体を示す外観の斜視図で、蓋を開放した状態を表し、図１（ｂ）は図１（ａ）に示す２個の光ケーブル収容部を突き合わせて連結しようとする状態を拡大して示す斜視図である。
【図２】図２は図１（ａ）の筐体の正面開放部に取り付けられた２個の光ケーブル収容部を示す平面図で、非連結状態を表す。
【図３】左右一対の光ケーブル収容部を取り外した状態の光ケーブル機器筐体を示す斜視図である。
【図４】筐体から取り外して連結を解除した状態の光ケーブル収容部を示す斜視図である。
【図５】図５（ａ）は図１（ａ）において本発明の要部を円で囲んで示し、図５（ｂ）はその拡大図を示す斜視図である。
【符号の説明】
【００４５】
１  光ケーブル機器筐体
２  蓋
３  光ケーブル収容部
３ａ  開口部
３ｂ  基板
３ｄ  部分基板
４  係止片
５  留め具
７  弾性体ホルダー
８・９  リブ
１０・１１  機器ユニット
１２  固定用ねじ孔部
２１  連結用嵌合部
２２・２３  板状片
２２ａ嵌合爪
２４〜２６  切欠き溝
２８  連結部材
３０〜３３  枠状壁
３４  光ケーブルの出入り口
３４ａ弾性ホルダー装着部
３５  ガイド壁
３６  一直線状ガイド壁
３７  一直線状ガイド壁
３８  一直線状ガイド壁
３９  ガイド溝部
４１  バネ片
４３・４４  板状ガイド壁
４５・４６  支持部
【図１】
0004889596.tif 000002
【図２】
0004889596.tif 000003
【図３】
0004889596.tif 000004
【図４】
0004889596.tif 000005
【図５】
0004889596.tif 000006